(57)【特許請求の範囲】
【請求項１】
カード型制御ユニットが筐体内に収納され、前記カード型制御ユニットのカードコネクタが前記筐体から露出配置され、前記カードコネクタに外部制御機器が選択的に接続可能なカード型無線伝送機器の初期調整方法であって、前記カード型制御ユニット内に、前記カードコネクタにおける複数本の不使用コネクタピンを非同期送受信回路を介して制御部に選択的に接続するコネクタ切替選択部を設け、製造されたカード型無線伝送機器へのプログラム書込み作業時に、前記カードコネクタにプログラム書込み装置を接続し、前記コネクタ切替選択部を選択接続状態に切替え、前記複数本の不使用コネクタピンを介して前記制御部と前記プログラム書込み装置とを接続し、前記制御部と前記プログラム書込み装置との間で相互情報伝送を行って前記制御部の動作プログラムの書込みを行い、また、当該カード型無線伝送機器のテスト作業時に、前記カードコネクタに機器検査装置を接続し、前記コネクタ切替選択部を選択接続状態に切替え、前記複数本の不使用コネクタピンを介して前記制御部と前記機器検査装置とを接続し、前記制御部と前記機器検査装置との間で相互情報伝送を行って当該カード型無線伝送機器に対する所定のテストを行うことを特徴とするカード型無線伝送機器の初期調整方法。
【請求項２】
前記コネクタ切替選択部は、前記カードコネクタに接続された前記外部制御機器から前記制御部にコネクタ切替コマンドが供給されたとき、前記制御部から出力されるコネクタ切替信号により選択接続状態に切替えられることを特徴とする請求項１に記載のカード型無線伝送機器の初期調整方法。
【請求項３】
前記コネクタ切替選択部は、前記制御部に接続されたジャンパーコネクタが動作モード変更状態に切替られたとき、前記制御部から出力されるコネクタ切替信号により選択接続状態に切替えられることを特徴とする請求項１に記載のカード型無線伝送機器の初期調整方法。
【請求項４】
前記カードコネクタと前記プログラム書込み装置または前記機器検査装置との接続は、前記カードコネクタに嵌合される第１コネクタと前記カードコネクタと同一形状の第２コネクタと前記プログラム書込み装置に接続される第３コネクタと前記機器検査装置に接続される第４コネクタとを有する変換基板を用いて行うもので、前記第３コネクタ及び前記第４コネクタは、前記カードコネクタの前記複数本の不使用コネクタピンに対応する箇所の前記第１コネクタの複数本のコネクタピンに接続され、前記第２コネクタは、前記カードコネクタの前記複数本の不使用コネクタピンに対応する箇所以外の前記第１コネクタの複数本のコネクタピンに接続されることを特徴とする請求項１乃至３のいずれかに記載のカード型無線伝送機器の初期調整方法。
【発明の詳細な説明】
【０００１】
【発明の属する技術分野】
本発明は、カード型無線伝送機器の初期調整方法に係り、特に、カード型無線伝送機器を製造し、出荷前に行われるカード型無線伝送機器へのプログラム書込み作業及び当該カード型無線伝送機器に対するテスト作業を、簡単な処理手順により、効率的に行うようにしたカード型無線伝送機器の初期調整方法に関する。
【０００２】
【従来の技術】
従来、携帯電話器等のカード型無線伝送機器においては、パーソナル・コンピュータ・メモリ・カード国際協会（ＰＣＭＣＩＡ）タイプまたはコンパクト・フラッシュ・メモリ（ＣＦ）タイプのピーシーカード（ＰＣカード）のような汎用ＰＣカードがカード型制御ユニットとして用いられている。そして、このカード型制御ユニットをカード型無線伝送機器に使用する場合には、通常、カードコネクタ部分を除いたカード型制御ユニット全体をカード型無線伝送機器の筐体内に収納配置し、カード型制御ユニットにパーソナルコンピュータ（ＰＣ）等の外部制御機器が接続できるように、カードコネクタ部分だけを筐体から露出した配置を採用している。
【０００３】
ところで、この種のカード型無線伝送機器においては、製造された後の出荷前に、当該カード型無線伝送機器の制御部の動作プログラムをＲＯＭに書込むプログラム書込み作業が行われる。このプログラム書込み作業は、当該カード型無線伝送機器にプログラム書込み装置を接続し、そのプログラム書込み装置を用いてＲＯＭに所要の動作プログラムの書込みを行うものである。
【０００４】
また、この種のカード型無線伝送機器においては、一般の無線機器と同様に、製造された後の出荷前に、当該カード型無線伝送機器が正常動作するか否かのテスト作業が行われる。このテスト作業は、当該カード型無線伝送機器に機器検査装置を接続し、その機器検査装置を用いて機器検査や機器性能測定等のテストを行うものである。
【０００５】
図６は、このような既知のカード型無線伝送機器の要部構成の一例を示すブロック図であって、カード型無線伝送機器とともに外部制御機器やプログラム書込み装置及び機器検査装置を合わせて示している。
【０００６】
図６に示されるように、このカード型無線伝送機器６０は、本体部分がＰＣカードからなるカード型制御ユニット６１で構成され、選択的に外部制御機器６２やプログラム書込み装置６３及び機器検査装置６４が接続される。また、カード型制御ユニット６１は、送受信アンテナ６５1 が接続された高周波信号送受信部（ＲＦ信号送受信部）６５と、ベースバンド信号処理部６６と、モード変換部６７1 を含む制御部（ＣＰＵ）６７と、カードインターフェイス回路（カードＩ／Ｆ）６８と、Ｊ−ＴＡＧ回路等の第１非同期送受信回路（Ｊ−ＴＡＧ回路）６９と、ＵＡＲＴ回路等の第２非同期送受信回路（ＵＡＲＴ回路）７０と、プログラム格納ＲＯＭ（ＰＲＯＭ）７１と、ジャンパーコネクタ７２と、カードコネクタ７３と、第１制御用コネクタ７４と、第２制御用コネクタ７５とを備えている。そして、これらの各構成要素６５、６５1 、６６、６７、６７1 、６８乃至７５は、図６に示されるように接続されている。
【０００７】
この場合、高周波信号送受信部６５は、送受信アンテナ６５1 を通して送受信される高周波信号の送受信処理を行うもので、送信時にベースバンド信号を高周波信号に周波数変換し、受信時に高周波信号をベースバンド信号に周波数変換する。ベースバンド信号処理部６６は、送信されるベースバンド信号及び受信されたベースバンド信号に対して所定の信号処理を行う。制御部６７は、カード型制御ユニット６１の各部を統括的に制御する。カードインターフェイス回路６８は、制御部６７とカードコネクタ７３に接続される外部制御機器６２とのインターフェイス機能と双方向情報伝送機能とを有している。第１非同期送受信回路６９は、制御部６７と第１制御用コネクタ７４に接続されるプログラム書込み装置６３とのインターフェイス機能と双方向情報伝送機能とを有している。第２非同期送受信回路７０は、制御部６７と第２制御用コネクタ７５に接続される機器検査装置６４とのインターフェイス機能と双方向情報伝送機能とを有している。
【０００８】
プログラム格納ＲＯＭ７１は、制御部６７を制御動作させる動作プログラムを格納しているもので、カード型無線伝送機器６０が製造された後でプログラム書込み装置６４によって動作プログラムが書込まれる。ジャンパーコネクタ７２は、筐体内部に収納されているカード型制御ユニット６１上に配置され、コネクタの接続状態を手動操作できるもので、その接続状態を第１または第２動作モード変更状態に切替えると、モード変換部６７1 を通して制御部６７の動作モードを通常モードから書込みモードまたはテストモードに変更する。
【０００９】
カードコネクタ７３は、カード型無線伝送機器６０の筐体（図６に図示なし）から露出するように配置されており、外部制御機器６２から導出された導出線（図番なし）の先端に配置された接続コネクタ７３1 が嵌合される。第１制御用コネクタ７４は、筐体内部に収納されているカード型制御ユニット６１上に配置されており、プログラム書込み装置６３から導出された導出線（図番なし）の先端に配置された接続コネクタ７４1 が嵌合される。第２制御用コネクタ７５は、機器検査装置６４から導出された導出線（図番なし）の先端に配置された接続コネクタ７５1 が嵌合される。
【００１０】
また、図７は、図６に図示されたカード型無線伝送機器６０の筐体の一部を開いたときの状態を示す外観図である。
【００１１】
図７に示されるように、カード型無線伝送機器６０は、筐体７６内にカード型制御ユニット６１が収納されるとともに、カード型制御ユニット６１のカードコネクタ７３が筐体７６から露出するように配置され、筐体７６の一部がカバー７６1 を構成している。
【００１２】
なお、図７において、図６に示された構成要素と同じ構成要素については同じ符号を付けている。
【００１３】
ここで、図６及び図７を用いて、カード型無線伝送機器６０のプログラム書込み作業及びテスト作業を行う際の動作について説明する。
【００１４】
カード型無線伝送機器６０のプログラム格納ＲＯＭ７１に制御部６７の動作プログラムの書込み作業を行う際には、筐体７６のカバー７６1 を開き、カード型制御ユニット６１上に配置されている第１制御用コネクタ７４、第２制御用コネクタ７５及びジャンパーコネクタ７２を露出させる。そして、露出した第１制御用コネクタ７４にプログラム書込み装置６３から導出された導出線の先端に配置された接続コネクタ７４1 を嵌合し、第１制御用コネクタ７４にプログラム書込み装置６３を接続する。また、同様に露出したジャンパーコネクタ７２を手動操作し、その接続状態を第１動作モード変更状態に切替えると、ジャンパーコネクタ７２の切替により、制御部６７の動作モードは、それまでの通常モードから書込みモードに変更される。なお、このプログラム書込み作業を行う際は、カードコネクタ７３に外部制御機器６２を接続する必要がない。
【００１５】
この時点に、制御部６７とプログラム書込み装置６３とは、第１非同期送受信回路６９、嵌合された第１制御用コネクタ７４及び接続コネクタ７４1 を通して接続されるので、書込みモードになった制御部６７の制御により、制御部６７とプログラム書込み装置６３との間で必要な情報の交換が行われ、プログラム書込み装置６３から供給された動作プログラムがプログラム格納ＲＯＭ７１に伝送され、その中に書込みが行われる。
【００１６】
プログラム書込み作業が終了したとき、第１制御用コネクタ７４と接続コネクタ７４1 とを嵌合を外し、ジャンパーコネクタ７２の接続状態を通常状態に切替えると、制御部６７の動作モードは書込みモードから通常モードに復帰する。
【００１７】
この後、プログラム書込み作業に続いてカード型無線伝送機器６０に対するテスト作業が行われる。このテスト作業を行う際には、既に露出している第２制御用コネクタ７５に機器検査装置６４から導出された導出線の先端に配置された接続コネクタ７５1 を嵌合し、第２制御用コネクタ７５に機器検査装置６４を接続する。また、このときも、ジャンパーコネクタ７２を手動操作し、その接続状態を第２動作モード変更状態に切替えると、ジャンパーコネクタ７２の切替により、制御部６７の動作モードは、通常モードからテストモードに変更される。なお、このテスト作業を行う際も、カードコネクタ７３に外部制御機器６２を接続する必要がない。
【００１８】
この時点に、制御部６７と機器検査装置６４とは、第２非同期送受信回路７０、嵌合された第２制御用コネクタ７５及び接続コネクタ７５1 を通して接続されるので、テストモードになった制御部６７の制御により、制御部６７と機器検査装置６４との間で必要な情報の交換が行われ、カード型無線伝送機器６０に対して行った各種のテスト結果が機器検査装置６４に伝送供給される。
【００１９】
テスト作業が終了したとき、第２制御用コネクタ７５と接続コネクタ７５1 とを嵌合を外し、ジャンパーコネクタ７２の接続状態を通常状態に切替えると、制御部６７の動作モードはテストモードから通常モードに復帰する。その後、筐体７６のカバー７６1 を閉じ、カード型無線伝送機器６０をプログラム書込み作業及びテスト作業を行う以前の状態に戻す。
【００２０】
【発明が解決しようとする課題】
既知のカード型無線伝送機器６０は、筐体７６内に収納されているカード型制御ユニット６１上に第１及び第２制御用コネクタ７４、７５とジャンパーコネクタ７２とを配置し、製造した後の出荷前にプログラム書込み作業及びテスト作業を行う場合、筐体７６のカバー７６1 を開いてカード型制御ユニット６１上の第１及び第２制御用コネクタ７４、７５とジャンパーコネクタ７２とを露出させた後、始めに、露出した第１制御用コネクタ７４にプログラム書込み装置６３の接続コネクタ７４1 を嵌合させるとともに、ジャンパーコネクタ７２の手動操作によりその接続状態を第１動作モード変更状態に変更させるという種々の操作を経て制御部６７の動作モードを書込みモードに設定するようにし、次いで、露出した第２制御用コネクタ７５に機器検査装置６４の接続コネクタ７５1 を嵌合させるとともに、ジャンパーコネクタ７２の手動操作によりその接続状態を第２動作モード変更状態に変更させるという種々の操作を経て制御部６７の動作モードをテストモードに設定するようにしているものである。
【００２１】
このように、既知のカード型無線伝送機器６０は、プログラム書込み作業及びテスト作業を行う場合に、筐体７６のカバー７６1 を開いたり、第１制御用コネクタ７４及び第２制御用コネクタ７５に個別にプログラム書込み装置６３の接続コネクタ７４1 及び機器検査装置６４の接続コネクタ７５1 を嵌合させたり、ジャンパーコネクタ７２の接続状態をそれぞれ第１及び第２動作モード変更状態に変更したりする必要があるので、カード型無線伝送機器６０のプログラム書込み作業及びテスト作業に比較的多くの労力と時間が必要になり、全体的に効率的なプログラム書込み作業及びテスト作業であるということができないものである。
【００２２】
このような既知のカード型無線伝送機器６０に対するプログラム書込み作業及びテスト作業を行う場合、筐体７６から露出しているカードコネクタ７３を通してカード型制御ユニット６１とプログラム書込み装置６３及び機器検査装置６４を個別に接続することが考えられる。
【００２３】
しかるに、カード型制御ユニット６１のカードコネクタ７３は、そのコネクタピン数が、ＰＣＭＣＩＡタイプのＰＣカードである場合に６８ピンであり、ＣＦタイプのＰＣカードである場合に５０ピンであって、カード型制御ユニット６１と外部制御機器６２との接続をするときのインターフェイス規格により、カードコネクタ７３において使用できるピンは予め決められたものになっている。このため、カードコネクタ７３を通してプログラム書込み装置６３及び機器検査装置６４をカード型制御ユニット６１に接続することは困難であり、通常、カードコネクタ７３を用いたプログラム書込み作業やテスト作業を行うことはできない。
【００２４】
本発明は、このような技術的背景に鑑みてなされたもので、その目的は、カード型無線伝送機器のプログラム書込み作業及びテスト作業の労力を低減させ、プログラム書込み作業及びテスト作業に要する時間を短縮させることを可能にしたカード型無線伝送機器の初期調整方法を提供することにある。
【００２５】
【課題を解決するための手段】
前記目的を達成するために、本発明は、カード型制御ユニットが筐体内に収納され、カード型制御ユニットのカードコネクタが筐体から露出配置され、カードコネクタに外部制御機器が選択的に接続可能なカード型無線伝送機器の初期調整方法であって、カード型制御ユニット内に、カードコネクタにおける複数本の不使用コネクタピンを非同期送受信回路を介して制御部に選択的に接続するコネクタ切替選択部を設け、製造されたカード型無線伝送機器へのプログラム書込み作業時に、カードコネクタにプログラム書込み装置を接続し、コネクタ切替選択部を選択接続状態に切替え、複数本の不使用コネクタピンを介して制御部とプログラム書込み装置とを接続し、制御部とプログラム書込み装置との間で相互情報伝送を行って制御部の動作プログラムの書込みを行い、また、当該カード型無線伝送機器のテスト作業時に、カードコネクタに機器検査装置を接続し、コネクタ切替選択部を選択接続状態に切替え、複数本の不使用コネクタピンを介して制御部と機器検査装置とを接続し、制御部と機器検査装置との間で相互情報伝送を行って当該カード型無線伝送機器に対する所定のテストを行う手段を備える。
【００２６】
前記手段によれば、カード型制御ユニット内に、カードコネクタの中の複数本の不使用コネクタピンを非同期送受信回路を介して制御部に選択接続するコネクタ切替選択部を設け、カード型無線伝送機器のプログラム書込み作業及びテスト作業を行う際に、コネクタ切替選択部を選択接続状態に切替え、カードコネクタにプログラム書込み装置または機器検査装置を接続すれば、カードコネクタの中の複数本の不使用コネクタピン及び非同期送受信回路を介してプログラム書込み装置と制御部とが接続または機器検査装置と制御部とが接続されるので、プログラム書込み装置と制御部との間または機器検査装置と制御部との間で相互情報交換を行うことにより、プログラム格納ＲＯＭに制御部の動作プログラムの書込み及びカード型無線伝送機器に対する所定のテストを行うことができる。そして、このような本発明のプログラム書込み作業及びテスト作業（以下、これを本発明の作業という）と、既知のこの種のプログラム書込み作業及びテスト作業（以下、これを既知の作業という）とを比べると、本発明の作業の方が明らかに操作項数が少ないので、既知の作業よりも労力の低減及び作業時間の短縮を図ることができる。
【００２７】
この場合、前記手段におけるコネクタピン切替選択部は、カードコネクタに接続された外部制御機器から制御部にコネクタ切替コマンドが供給されたとき、制御部から出力されるコネクタ切替信号により選択接続状態に切替えられるように構成することが好ましい。
【００２８】
このような構成によれば、プログラム書込み作業及びテスト作業を行う際に、カードコネクタに外部制御機器を接続し、外部制御機器から制御部にコネクタ切替コマンドを供給すると、制御部がそのコネクタ切替コマンドに応答してコネクタピン切替選択部にコネクタ切替信号を供給し、コネクタピン切替選択部を選択接続状態に切替わるので、筐体のカバーを開く操作が不要になり、その分、既知の作業よりも労力の一段の低減及び作業時間の一段の短縮を図ることができる。
【００２９】
また、前記手段におけるコネクタピン切替選択部は、制御部に接続されたジャンパーコネクタが動作モード変更状態に切替られたとき、制御部から出力されるコネクタ切替信号により選択接続状態に切替えられるように構成することもできる。
【００３０】
このような構成によれば、プログラム書込み作業及びテスト作業を行う際に、筐体のカバーまたはその一部を開く操作と、ジャンパーコネクタの切替え操作が必要になるものの、既知の作業に比べて労力の低減及び作業時間の短縮を図ることが可能である。
【００３１】
さらに、前記手段におけるカードコネクタとプログラム書込み装置または機器検査装置との接続は、カードコネクタに嵌合される第１コネクタとカードコネクタと同一形状の第２コネクタとプログラム書込み装置に接続される第３コネクタと機器検査装置に接続される第４コネクタとを有する変換基板を用いて行うもので、第３コネクタ及び第４コネクタは、カードコネクタの複数本の不使用コネクタピンに対応する箇所の第１コネクタの複数本のコネクタピンに接続され、第２コネクタは、カードコネクタの複数本の不使用コネクタピンに対応する箇所以外の第１コネクタの複数本のコネクタピンに接続されるように構成することが好適である。
【００３２】
このような構成によれば、プログラム書込み作業及びテスト作業を行う際に、カードコネクタと外部制御機器との間に、第１コネクタ、第２コネクタ、第３コネクタ及び第４コネクタを有する変換基板を接続するようにすれば、外部制御機器の導出線に接続されている既存のカードコネクタや、プログラム書込み装置及び機器検査装置の導出線に接続されている既存の接続コネクタがそのまま使用できるだけでなく、変換基板の第２コネクタ、第３コネクタ及び第４コネクタにそれぞれ接続すれば、自動的にプログラム書込み作業及びテスト作業時の接続状態に設定することが可能になり、全体的に、既知の作業に比べ、労力の大幅な低減及び作業時間の著しい短縮を図ることができる。
【００３３】
【発明の実施の形態】
以下、本発明の実施の形態を図面を参照して説明する。
【００３４】
図１は、本発明によるカード型無線伝送機器の初期調整方法が実施されるカード型無線伝送機器の要部構成の一例を示すブロック図であって、カード型無線伝送機器とともに外部制御機器やプログラム書込み装置及び機器検査装置が示されているものである。
【００３５】
図１に示されるように、このカード型無線伝送機器１は、本体部分がＰＣカードからなるカード型制御ユニット２で構成され、選択的に変換基板６を介して外部制御機器３やプログラム書込み装置４及び機器検査装置５が接続される。また、カード型制御ユニット２は、送受信アンテナ７1 が接続された高周波信号送受信部（ＲＦ信号送受信部）７と、ベースバンド信号処理部８と、モード変換部９1 を含む制御部（ＣＰＵ）９と、カードインターフェイス回路（カードＩ／Ｆ）１０と、Ｊ−ＴＡＧ回路等の第１非同期送受信回路（Ｊ−ＴＡＧ回路）１１と、ＵＡＲＴ回路等の第２非同期送受信回路（ＵＡＲＴ回路）１２と、コネクタピン切替選択部１３と、プログラム格納ＲＯＭ（ＰＲＯＭ）１４と、メインコネクタ１５1 及びスレーブコネクタ１５2 に分割されたカードコネクタ１５とを備えている。また、変換基板６は、メインコネクタ１６1 及びスレーブコネクタ１６2 に分割された第１コネクタ１６と、第２コネクタ１７と、第３コネクタ１８と、第４コネクタ１９とを備えている。
【００３６】
そして、カード型制御ユニット２において、高周波信号送受信部７はベースバンド信号処理部８に接続され、ベースバンド信号処理部８は制御部９に接続される。制御部９はカードインターフェイス回路１０と第１非同期送受信回路１１と第２非同期送受信回路１２とプログラム格納ＲＯＭ１４にそれぞれ接続され、モード変換部９1 はコネクタピン切替選択部１３に接続される。カードインターフェイス回路１０はカードコネクタ１５のメインコネクタ１５1 に接続され、第１非同期送受信回路１１及び第２非同期送受信回路１２はそれぞれコネクタピン切替選択部１３に接続される。コネクタピン切替選択部１３はカードコネクタ１５のスレーブコネクタ１５2 に接続される。また、変換基板６において、第１コネクタ１６のメインコネクタ１６1 は第２コネクタ１７に接続され、第１コネクタ１６のスレーブコネクタ１６2 は第３コネクタ１８及び第４コネクタ１９にそれぞれ接続される。
【００３７】
この場合、高周波信号送受信部７は、送受信アンテナ７1 を通して送受信される高周波信号の送受信処理を行うもので、送信時にベースバンド信号処理部８から供給されるベースバンド信号を高周波信号に周波数変換し、受信時に高周波信号をベースバンド信号に周波数変換してベースバンド信号処理部８に供給する。ベースバンド信号処理部８は、送信されるベースバンド信号及び受信されたベースバンド信号に対して所定の信号処理を行う。制御部９は、カード型制御ユニット２の各部を統括的に制御する。カードインターフェイス回路１０は、制御部９とカードコネクタ１５に接続される外部制御機器３とのインターフェイス機能と双方向情報伝送機能とを有している。第１非同期送受信回路１１は、カードコネクタ１５及び変換基板６を通して接続される制御部９とプログラム書込み装置４とのインターフェイス機能と双方向情報伝送機能とを有している。第２非同期送受信回路１２は、カードコネクタ１５及び変換基板６を通して接続される制御部９と機器検査装置５とのインターフェイス機能と双方向情報伝送機能とを有している。
【００３８】
コネクタピン切替選択部１３は、カードコネクタ１５にある複数本のコネクタピンの中で、カードコネクタ１５が外部制御機器３と接続されたときに使用されない複数本のコネクタピンを選択し、選択した複数本の不使用コネクタピンと第１非同期送受信回路１１または第２非同期送受信回路１２とを選択接続する第１または第２選択接続状態に設定されるもので、モード変換部８1 から第１コネクタ切替信号が供給されたとき、複数本の不使用コネクタピンと第１非同期送受信回路１１とがコネクタピン切替選択部１３を介して接続され、モード変換部８1 から第２コネクタ切替信号が供給されたとき、複数本の不使用コネクタピンと第２非同期送受信回路１２とがコネクタピン切替選択部１３を介して接続される。カードコネクタ１５は、コネクタピン切替選択部１３で選択される複数本の不使用コネクタピンをスレーブコネクタ１５2 で表しており、それ以外の複数本のコネクタピンをメインコネクタ１５1 で表している。なお、スレーブコネクタ１５2 で表している複数本の不使用コネクタピンは、プログラム書込み作業時に使用される制御線の本数（４本）とテスト作業時に使用される制御線の本数（２本）とが異なっているため、プログラム書込み作業時のピン数とテスト作業時のピン数とがその分異なっている。
【００３９】
また、変換基板６において、第１コネクタ１６は、メインコネクタ１５1 に嵌合されるメインコネクタ１６1 とスレーブコネクタ１５2 に嵌合されるスレーブコネクタ１６2 とからなる。第２コネクタ１７は、本来のカードコネクタ（図６に図示のカードコネクタ７３）と同じ構成のもので、変換基板６上でメインコネクタ１６1 に接続される。第３コネクタ１８は、本来の第１制御用コネクタ（図６に図示の制御用コネクタ７４）と同じ構成のもので、変換基板６上でスレーブコネクタ１６2 に接続される。第４コネクタ１９は、本来の第２制御用コネクタ（図６に図示の制御用コネクタ７５）と同じ構成のもので、変換基板６上でスレーブコネクタ１６2 に接続される。
【００４０】
次に、図２は、図１に図示されたカード型無線伝送機器１の筐体の状態を示す外観図である。
【００４１】
図２に示されるように、カード型無線伝送機器１は、筐体２１内にカード型制御ユニット２が収納されるとともに、カード型制御ユニット２のカードコネクタ１５が筐体２１から露出するように配置され、カードコネクタ１５に変換基板６が接続される。
【００４２】
なお、図２において、図１に示された構成要素と同じ構成要素については同じ符号を付けている。
【００４３】
ここで、図１及び図２を用いて、製造された後出荷前のカード型無線伝送機器１のプログラム書込み作業及びテスト作業を行う際の動作について説明する。
【００４４】
カード型無線伝送機器１に対するプログラム書込み作業を行う際には、筐体２１から露出しているカード型制御ユニット２のカードコネクタ１５に変換基板６の第１コネクタ１６を嵌合し、変換基板６の第２コネクタ１７に接続コネクタ１７1 を嵌合させて外部制御機器３を接続するとともに、変換基板６の第３コネクタ１８に接続コネクタ１８1 を嵌合させてプログラム書込み装置４を接続する。次に、外部制御機器３から第１コネクタ切替コマンドを出力させ、出力した第１コネクタ切替コマンドを嵌合された第２コネクタ１７及び接続コネクタ１７1 、変換基板６、嵌合された第１コネクタ１５のメインコネクタ１５1 及びカードコネクタ１６のメインコネクタ１６1 、カードインターフェイス回路１０をそれぞれ通して制御部９のモード変換部９1 に供給する。制御部９は、モード変換部９1 に第１コネクタ切替コマンドが供給されると、動作モードが通常モードから書込みモードに変更される。このとき、モード変換部９1 から第１コネクタ切替信号が出力され、出力された第１コネクタ切替信号がコネクタピン切替選択部１３に供給される。コネクタピン切替選択部１３は、第１コネクタ切替信号が供給されると、カードコネクタ１５のスレーブコネクタ１５2 と第１非同期送受信回路１１とを切替接続する第１選択接続状態になる。
【００４５】
この時点に、制御部９とプログラム書込み装置４とは、第１非同期送受信回路１１、コネクタピン切替選択部１３、嵌合されたカードコネクタ１５のスレーブコネクタ１５2 及び第１コネクタ１６のスレーブコネクタ１６2 、変換基板６、嵌合された第３コネクタ１８及び接続コネクタ１８1 を通して接続され、書込みモードになった制御部９の制御により、制御部９とプログラム書込み装置４との間で必要な情報の交換が行われ、プログラム書込み装置４から供給された動作プログラムがプログラム格納ＲＯＭ１４に伝送され、プログラム格納ＲＯＭ１４に書込まれる。
【００４６】
プログラム書込み作業が終了したとき、外部制御機器３から出力されている第１コネクタ切替コマンドを停止させると、制御部９のモード変換部９1 に第１コネクタ切替コマンドが供給されなくなり、モード変換部９1 からコネクタピン切替選択部１３に供給されていた第１コネクタ切替信号が停止するので、コネクタピン切替選択部１３は、カードコネクタ１５のスレーブコネクタ１５2 と第１非同期送受信回路１１との接続状態からその接続を絶つ非接続状態に切替わる。このとき、変換基板６の第３コネクタ１８と接続コネクタ１８1 との嵌合を外し、プログラム書込み装置４を接続状態から非接続状態にすると、カード型無線伝送機器１はプログラム書込み作業が行われる以前の状態に戻る。
【００４７】
この後、カード型無線伝送機器１に対するテスト作業を行う際には、カードコネクタ１５に変換基板６の第１コネクタ１６を嵌合し、変換基板６の第２コネクタ１７に接続コネクタ１７1 を嵌合させて外部制御機器３を接続した状態を維持するとともに、変換基板６の第４コネクタ１９に接続コネクタ１９1 を嵌合させて機器検査装置５を接続する。次いで、外部制御機器３から第２コネクタ切替コマンドを出力させ、出力した第２コネクタ切替コマンドを嵌合された第２コネクタ１７及び接続コネクタ１７1 、変換基板６、嵌合された第１コネクタ１５のメインコネクタ１５1 及びカードコネクタ１６のメインコネクタ１６1 、カードインターフェイス回路１０をそれぞれ通して制御部９のモード変換部９1 に供給する。制御部９は、モード変換部９1 に第２コネクタ切替コマンドが供給されると、動作モードが通常モードからテストモードに変更される。このとき、モード変換部９1 から第２コネクタ切替信号が出力され、出力された第２コネクタ切替信号がコネクタピン切替選択部１３に供給される。コネクタピン切替選択部１３は、第２コネクタ切替信号が供給されると、カードコネクタ１５のスレーブコネクタ１５2 と第２非同期送受信回路１２とを切替接続する第２選択接続状態になる。
【００４８】
この時点に、制御部９と機器検査装置５とは、第２非同期送受信回路１２、コネクタピン切替選択部１３、嵌合されたカードコネクタ１５のスレーブコネクタ１５2 及び第１コネクタ１６のスレーブコネクタ１６2 、変換基板６、嵌合された第４コネクタ１９及び接続コネクタ１９1 を通して接続され、テストモードになった制御部９の制御により、制御部９と機器検査装置５との間で必要な情報の交換が行われ、カード型無線伝送機器１に対して行った各種のテスト結果が機器検査装置５に伝送供給される。
【００４９】
テスト作業が終了したとき、外部制御機器３から出力されている第２コネクタ切替コマンドを停止させると、制御部９のモード変換部９1 に第２コネクタ切替コマンドが供給されなくなり、モード変換部９1 からコネクタピン切替選択部１３に供給されていた第２コネクタ切替信号が停止するので、コネクタピン切替選択部１３は、カードコネクタ１５のスレーブコネクタ１５2 と第２非同期送受信回路１２との接続状態からその接続を絶つ非接続状態に切替わり、カード型無線伝送機器１はテスト作業が行われる以前の状態に戻る。
【００５０】
続いて、図３（ａ）、（ｂ）は、図１に図示のカード型無線伝送機器１において、プログラム書込み作業及びテスト作業が行われる際の動作経緯の要点を示すフローチャートであり、（ａ）はプログラム書込み作業、（ｂ）はテスト作業を表しているものである。
【００５１】
図３（ａ）、（ｂ）に図示のフローチャートを用い、プログラム書込み作業及びテスト作業の動作経緯について説明する。
【００５２】
図３（ａ）に示されるプログラム書込み作業は、始めに、ステップＳ１において、カード型無線伝送機器１は、カードコネクタ１５に変換基板６を接続し、変換基板６を通して外部制御機器３及びプログラム書込み装置４を接続する。
【００５３】
次に、ステップＳ２において、制御部９は、カードコネクタ１５、カードインターフェイス回路１０を通して接続した外部制御機器３から第１コネクタ切替コマンドを受領する。
【００５４】
次いで、ステップＳ３において、制御部９は、受領した第１コネクタ切替コマンドが正規な切替コマンドであるか否かを判断する。そして、正規な切替コマンドであると判断した（Ｙ）ときは次のステップＳ４に移行し、一方、正規な切替コマンドでないと判断した（Ｎ）ときは前のステップＳ２に戻り、再び、ステップＳ２以降の動作が実行される。
【００５５】
続いて、ステップＳ４において、制御部９は、動作モードが書込みモードに変更され、モード変換部９1 を通して第１コネクタ切替信号をコネクタピン切替選択部１３に供給する。このとき、コネクタピン切替選択部１３は、カードコネクタ１５のスレーブコネクタ１５2 を第１非同期送受信回路１１に接続し、それによりプログラム書込み装置４と制御部９とが接続される第１選択接続状態を設定する。
【００５６】
続く、ステップＳ５において、制御部９は、接続されたプログラム書込み装置４との間で情報交換を行った後、プログラム書込み装置４から供給される動作プログラムをプログラム格納ＲＯＭ１４に書込む。
【００５７】
次に、ステップＳ６において、制御部９は、全ての動作プログラムがプログラム格納ＲＯＭ１４に書込まれることにより、プログラム書込み作業が終了したか否かを判断する。そして、既にプログラム書込み作業が終了していると判断した（Ｙ）ときは次のステップＳ７に移行し、一方、プログラム書込み作業が未だ終了していないと判断した（Ｎ）ときはこのステップＳ６を繰り返し実行する。
【００５８】
次いで、ステップＳ７において、カード型無線伝送機器１へのプログラム書込み作業が終了したので、プログラム書込み装置４の接続を外し、この一連の動作を終了させる。
【００５９】
また、図３（ｂ）に示されるテスト作業は、始めに、ステップＳ１’において、カード型無線伝送機器１に機器検査装置５を接続する。
【００６０】
次に、ステップＳ２’において、制御部９は、カードコネクタ１５、カードインターフェイス回路１０を通して接続した外部制御機器３から第２コネクタ切替コマンドを受領する。
【００６１】
次いで、ステップＳ３’において、制御部９は、受領した第２コネクタ切替コマンドが正規な切替コマンドであるか否かを判断する。そして、正規な切替コマンドであると判断した（Ｙ）ときは次のステップＳ４’に移行し、一方、正規な切替コマンドでないと判断した（Ｎ）ときは前のステップＳ２’に戻り、再び、ステップＳ２’以降の動作が実行される。
【００６２】
続いて、ステップＳ４’において、制御部９は、動作モードがテストモードに変更され、モード変換部９1 を通して第２コネクタ切替信号をコネクタピン切替選択部１３に供給する。このとき、コネクタピン切替選択部１３は、カードコネクタ１５のスレーブコネクタ１５2 を第２非同期送受信回路１２に接続し、それにより機器検査装置５と制御部９とが接続される第２選択接続状態を設定する。
【００６３】
続く、ステップＳ５’において、制御部９は、接続された機器検査装置５との間で情報交換を行った後、機器検査装置５にカード型無線伝送機器１の各種のテスト結果を送信する。
【００６４】
次に、ステップＳ６’において、制御部９は、全てのテスト結果が機器検査装置５に送信されることにより、テスト作業が終了したか否かを判断する。そして、既にテスト作業が終了していると判断した（Ｙ）ときは次のステップＳ７’に移行し、一方、テスト作業が未だ終了していないと判断した（Ｎ）ときはこのステップＳ６’を繰り返し実行する。
【００６５】
次いで、ステップＳ７’において、カード型無線伝送機器１のテスト作業が終了したので、外部制御機器３及び機器検査装置４の接続を外すとともに、変換基板６をカードコネクタ１５から外し、この一連の動作を終了させる。
【００６６】
このように、この実施の形態によるカード型無線伝送機器の初期調整方法によれば、プログラム書込み作業及びテスト作業を行う際に、カードコネクタ１５に外部制御機器３を接続し、外部制御機器３から制御部９にコネクタ切替コマンドを供給すると、制御部９がそのコネクタ切替コマンドに応答してコネクタピン切替選択部１３にコネクタ切替信号を供給し、コネクタピン切替選択部１３を選択接続状態に切替え、その切替を行ったときにプログラム書込み作業及びテスト作業を行うことができるので、筐体のカバーを開く操作が不要になり、その分、既知のこの種の作業よりも労力の低減及び作業時間の短縮を図ることができる。
【００６７】
次いで、図４は、本発明によるカード型無線伝送機器の初期調整方法が実施されるカード型無線伝送機器の要部構成の他の例を示すブロック図であって、カード型無線伝送機器とともに外部制御機器やプログラム書込み装置及び機器検査装置が示されているものである。
【００６８】
図１に図示されたカード型無線伝送機器の構成（以下、これを第１構成例という）と、図４に図示されたカード型無線伝送機器の構成（以下、これを第２構成例という）との違いは、第１構成例がジャンパーコネクタを具備していないのに対して、第２構成例がジャンパーコネクタ２０を具備している点だけであって、その他に第１構成例と第２構成例との間に構成上の相違はない。このため、第２構成例においては、第１構成例の各構成要素と対応する各構成要素について同じ符号を付け、第２構成例の構成についてのこれ以上の説明を省略する。
【００６９】
また、第２構成例の動作については、第１構成例が、外部制御機器３から制御部９に第１コネクタ切替コマンドが供給されたときに、制御部９の動作モードが書込みモードに変更され、外部制御機器３から制御部９に第２コネクタ切替コマンドが供給されたときに、制御部９の動作モードテストモードに変更されるものであるのに対して、第２構成例が、ジャンパーコネクタ２０を手動操作してその接続状態を第１動作モード変更状態に切替えたときに、制御部９の動作モードが書込みモードに変更され、ジャンパーコネクタ２０を手動操作してその接続状態を第２動作モード変更状態に切替えたときに、制御部９の動作モードがテストモードに変更される点にそれぞれ相違があるだけで、それ以外の動作については変わりがない。このため、第２構成例の動作については、これ以上の説明を省略する。
【００７０】
続いて、図５（ａ）、（ｂ）は、図４に図示のカード型無線伝送機器１において、プログラム書込み作業及びテスト作業が行われる際の動作経緯の要点を示すフローチャートであり、（ａ）はプログラム書込み作業、（ｂ）はテスト作業を表しているものである。
【００７１】
図５（ａ）、（ｂ）に図示のフローチャートを用い、他の構成例のカード型無線伝送機器１におけるプログラム書込み作業及びテスト作業の動作経緯について説明する。
【００７２】
図５（ａ）に示されるプログラム書込み作業は、まず、ステップＳ１１において、カード型無線伝送機器１は、カードコネクタ１５に変換基板６を接続し、変換基板６を通して外部制御機器３及びプログラム書込み装置４を接続する。
【００７３】
次に、ステップＳ１２において、ジャンパーコネクタ２０を手動操作により第１動作モード変更状態に切替える。
【００７４】
次いで、ステップＳ１３において、制御部９は、ジャンパーコネクタ２０の切替状態が正規な第１動作モード変更状態であるか否かを判断する。そして、正規な第１動作モード変更状態であると判断した（Ｙ）ときは、次のステップＳ１４に移行し、一方、正規な第１動作モード変更状態でないと判断した（Ｎ）ときは、前のステップＳ１２に戻り、再び、ステップＳ１２以降の動作が実行される。
【００７５】
続いて、ステップＳ１４において、制御部９は、動作モードが書込みモードに変更され、モード変換部９1 を通して第１コネクタ切替信号をコネクタピン切替選択部１３に供給する。このとき、コネクタピン切替選択部１３は、カードコネクタ１５のスレーブコネクタ１５2 を第１非同期送受信回路１１に接続し、それによりプログラム書込み装置４と制御部９とが接続される第１選択接続状態を設定する。
【００７６】
続く、ステップＳ１５において、制御部９は、接続されたプログラム書込み装置４との間で情報交換を行った後、プログラム書込み装置４から供給される動作プログラムをプログラム格納ＲＯＭ１４に書込む。
【００７７】
次に、ステップＳ１６において、制御部９は、全ての動作プログラムがプログラム格納ＲＯＭ１４に書込まれることにより、プログラム書込み作業が終了したか否かを判断する。そして、既にプログラム書込み作業が終了していると判断した（Ｙ）ときは次のステップＳ１７に移行し、一方、プログラム書込み作業が未だ終了していないと判断した（Ｎ）ときはこのステップＳ１６を繰り返し実行する。
【００７８】
次いで、ステップＳ７において、カード型無線伝送機器１へのプログラム書込み作業が終了したので、ジャンパーコネクタ２０の接続状態を元の状態に戻し、プログラム書込み装置４の接続を外してこの一連の動作を終了させる。
【００７９】
また、図５（ｂ）に示されるテスト作業は、始めに、ステップＳ１１’において、カード型無線伝送機器１に機器検査装置５を接続する。
【００８０】
次に、ステップＳ１２’において、ジャンパーコネクタ２０を手動操作により第２動作モード変更状態に切替える。
【００８１】
次いで、ステップＳ１３’において、制御部９は、ジャンパーコネクタ２０の切替状態が正規な第２動作モード変更状態であるか否かを判断する。そして、正規な第２動作モード変更状態であると判断した（Ｙ）ときは、次のステップＳ１４’に移行し、一方、正規な第２動作モード変更状態でないと判断した（Ｎ）ときは、前のステップＳ１２’に戻り、再び、ステップＳ１２’以降の動作が実行される。
【００８２】
続いて、ステップＳ１４’において、制御部９は、動作モードがテストモードに変更され、モード変換部９1 を通して第２コネクタ切替信号をコネクタピン切替選択部１３に供給する。このとき、コネクタピン切替選択部１３は、カードコネクタ１５のスレーブコネクタ１５2 を第２非同期送受信回路１２に接続し、それによって機器検査装置５と制御部９とが接続される第２選択接続状態を設定する。
【００８３】
続く、ステップＳ１５’において、制御部９は、接続された機器検査装置５との間で情報交換を行った後、機器検査装置５にカード型無線伝送機器１の各種のテスト結果を送信する。
【００８４】
次に、ステップＳ１６’において、制御部９は、全てのテスト結果が機器検査装置５に送信されることにより、テスト作業が終了したか否かを判断する。そして、既にテスト作業が終了していると判断した（Ｙ）ときは、次のステップＳ１７’に移行し、一方、テスト作業が未だ終了していないと判断した（Ｎ）ときは、このステップＳ１６’を繰り返し実行する。
【００８５】
次いで、ステップＳ１７’において、カード型無線伝送機器１のテスト作業が終了したので、ジャンパーコネクタ２０の接続状態を元の状態に戻し、外部制御機器３及び機器検査装置４の接続を外すとともに、変換基板６をカードコネクタ１５から外し、この一連の動作を終了させる。
【００８６】
このように、この実施の形態によるカード型無線伝送機器の初期調整方法によれば、プログラム書込み作業及びテスト作業を行う際に、カードコネクタ１５に外部制御機器３を接続し、ジャンパーコネクタ２０を手動操作してその接続状態を動作モード変更状態に切替えると、制御部９がその動作モード変更状態に応答してコネクタピン切替選択部１３にコネクタ切替信号を供給し、コネクタピン切替選択部１３を選択接続状態に切替え、その切替を行ったときにプログラム書込み作業及びテスト作業を行うことができるので、筐体のカバーを開く操作が必要であるものの、既知のこの種の作業よりも労力の低減及び作業時間の短縮を図ることができる。
【００８７】
【発明の効果】
以上のように、請求項１に記載の発明によれば、カード型制御ユニット内に、カードコネクタの中の複数本の不使用コネクタピンを非同期送受信回路を介して制御部に選択接続するコネクタ切替選択部を設け、カード型無線伝送機器のプログラム書込み作業及びテスト作業を行う際に、コネクタ切替選択部を選択接続状態に切替え、カードコネクタにプログラム書込み装置または機器検査装置を接続すれば、カードコネクタの中の複数本の不使用コネクタピン及び非同期送受信回路を介してプログラム書込み装置と制御部とが接続または機器検査装置と制御部とが接続されるので、プログラム書込み装置と制御部との間または機器検査装置と制御部との間で相互情報交換を行うことにより、プログラム格納ＲＯＭに制御部の動作プログラムの書込み及びカード型無線伝送機器に対する所定のテストを行うことができるもので、このような本発明のプログラム書込み作業及びテスト作業（以下、これを本発明の作業という）と、既知のこの種のプログラム書込み作業及びテスト作業（以下、これを既知の作業という）とを比べたとき、本発明の作業の方が明らかに操作項数が少ないので、既知の作業よりも労力の低減及び作業時間の短縮を図ることができるという効果がある。
【００８８】
また、請求項２に記載の発明によれば、プログラム書込み作業及びテスト作業を行う際に、カードコネクタに外部制御機器を接続し、外部制御機器から制御部にコネクタ切替コマンドを供給すると、制御部がそのコネクタ切替コマンドに応答してコネクタピン切替選択部にコネクタ切替信号を供給し、コネクタピン切替選択部を選択接続状態に切替わるので、筐体のカバーを開く操作が不要になり、その分、既知の作業よりも労力の一段の低減及び作業時間の一段の短縮を図ることができるという効果がある。
【００８９】
さらに、請求項３に記載の発明によれば、プログラム書込み作業及びテスト作業を行う際に、筐体のカバーまたはその一部を開く操作と、ジャンパーコネクタの切替え操作が必要になるものの、既知の作業に比べて労力の低減及び作業時間の短縮を図ることが可能であるという効果がある。
【００９０】
また、請求項４に記載の発明によれば、プログラム書込み作業及びテスト作業を行う際に、カードコネクタと外部制御機器との間に、第１コネクタ、第２コネクタ、第３コネクタ及び第４コネクタを有する変換基板を接続するようにすれば、外部制御機器の導出線に接続されている既存のカードコネクタや、プログラム書込み装置及び機器検査装置の導出線に接続されている既存の接続コネクタがそのまま使用できるだけでなく、変換基板の第２コネクタ、第３コネクタ及び第４コネクタにそれぞれ接続すれば、自動的にプログラム書込み作業及びテスト作業時の接続状態に設定することが可能になり、全体的に、既知の作業に比べ、労力の大幅な低減及び作業時間の著しい短縮を図ることができるという効果がある。
【図面の簡単な説明】
【図１】本発明によるカード型無線伝送機器の初期調整方法が実施されるカード型無線伝送機器の要部構成の一例を示すブロック図である。
【図２】図１に図示されたカード型無線伝送機器の筐体の状態を示す外観図である。
【図３】図１に図示のカード型無線伝送機器において、プログラム書込み作業及びテスト作業が行われる際の動作経緯の要点を示すフローチャートである。
【図４】本発明によるカード型無線伝送機器の初期調整方法が実施されるカード型無線伝送機器の要部構成の他の例を示すブロック図であっ
【図５】図４に図示のカード型無線伝送機器において、プログラム書込み作業及びテスト作業が行われる際の動作経緯の要点を示すフローチャートである。
【図６】既知のカード型無線伝送機器の要部構成の一例を示すブロック図である。
【図７】図６に図示されたカード型無線伝送機器の筐体の一部を開いたときの状態を示す外観図である。
【符号の説明】
１  カード型無線伝送機器
２  カード型制御ユニット
３  外部制御機器
４  プログラム書込み装置
５  機器検査装置
６  変換基板
７  高周波信号送受信部（ＲＦ信号送受信部）
７1   送受信アンテナ
８  ベースバンド信号処理部
９  制御部（ＣＰＵ）
９1   モード変換部
１０  カードインターフェイス回路（カードＩ／Ｆ）
１１  第１非同期送受信回路（Ｊ−ＴＡＧ回路）
１２  第２非同期送受信回路（ＵＡＲＴ回路）
１３  コネクタピン切替選択部
１４  プログラム格納ＲＯＭ（ＰＲＯＭ）
１５  カードコネクタ
１５1   メインコネクタ
１５2   スレーブコネクタ
１６  第１コネクタ
１６1   メインコネクタ
１６2   スレーブコネクタ
１７  第２コネクタ
１７1   接続コネクタ
１８  第３コネクタ
１８1   接続コネクタ
１９  第４コネクタ
１９1   接続コネクタ
２０  ジャンパーコネクタ
２１  筐体
２１1   カバー
【図１】
0003801484.tif 000002
【図２】
0003801484.tif 000003
【図３】
0003801484.tif 000004
【図４】
0003801484.tif 000005
【図５】
0003801484.tif 000006
【図６】
0003801484.tif 000007
【図７】
0003801484.tif 000008